(57)【要約】【課題】車椅子からの乗り移り動作を円滑に行うことができる便器用手摺を提供する。【解決手段】便所の床に固定設置された便器Ａの床固定部ａの両側部に設置される左右一対のベース部材１０と、このベース部材１０を相互に連結する連結部材２０と、各ベース部材１０にそれぞれ立設された起立部材３０と、各起立部材３０の上端部にそれぞれ支持された手摺部材４０と、各ベース部材１０に取り付けられた固定部材５０とから構成されている。ベース部材１０は、便所の床に固定設置された便器Ａの床固定部ａの両側部に沿うように配設された内フレーム１１と、内フレーム１１の外側に一定間隔を開けた状態で配設された、便器Ａの前後方向に延びる短い外フレーム１２と、内フレーム１１と外フレーム１２とを相互に連結する連結フレーム１３とから構成されており、外フレーム１２は、その前端部が便器Ａの前後方向の中央部付近に位置している。【選択図】        図２
2009045196.tif 000002
【特許請求の範囲】
【請求項１】
洋風便器における床固定部の両側部に沿うように配設された一対の内フレームと、
一対の前記内フレームにそれぞれ連結された一対の外フレームと、
一対の前記内フレームを相互に連結する連結部材と、
前記外フレームに立設された一対の起立部材と、
前記起立部材の上端部にそれぞれ支持された手摺部材と
を備え、
前記外フレームの前端部が、前記洋風便器の前後方向の中央部付近に位置しており、
前記手摺部材が、前記洋風便器の後部側に退避可能に前記起立部材に支持されていることを特徴とする便器用手摺。
【請求項２】
前記連結部材は、前記洋風便器における床固定部の前端上部を取り囲むように、前記内フレームの後部側から前方に向かって斜め上方に立ち上がっている請求項１に記載の便器用手摺。
【発明の詳細な説明】
【技術分野】
【０００１】
この発明は、既設の洋風便器（以下、便器という。）に取り付けることで、足腰の弱い老人の用便動作を助けることのできる便器用手摺、特に、車椅子からの乗り移り動作が円滑に行える便器用手摺に関する。
【背景技術】
【０００２】
既設の便器に取り付ける便器用手摺としては、例えば、図７に示すようなものがある。この便器用手摺６０は、同図に示すように、床に設置された便器Ａの左右両側に配設される一対のベースフレーム６１、６１と、それぞれのベースフレーム６１、６１の後方側に立設された起立部材６２、６２と、この起立部材６２、６２の上端部にそれぞれ支持された手摺部材６３、６３と、一対の起立部材６２、６２を、相互に連結する連結部材６４と、便器Ａの両側部を挟み込む一対の挟持部材６５、６５とを備えており、手摺部材６３、６３は、同図に二点鎖線で示すように、後方側に跳ね上げることができるようになっている。
【０００３】
従って、車椅子に座った足腰の弱い老人等が用便を行う際は、便器Ａの片側に車椅子を移動し、車椅子に近いほうの手摺部材６３を跳ね上げて移動空間を確保した状態で、車椅子から便器Ａに乗り移ることになる。
【０００４】
【特許文献１】特開平１０−２０１６７２号公報
【発明の開示】
【発明が解決しようとする課題】
【０００５】
しかしながら、上述したような便器用手摺６０では、手摺部材６３を跳ね上げることによって、車椅子から便器Ａに乗り移る老人等の移動空間を開放することはできるが、床に設置されているフレーム６１を老人等の移動経路から退避させることはできないので、老人等が車椅子から便器Ａに乗り移る際に、フレーム６１に足が引っかかり、円滑に乗り移ることができないといった問題がある。
【０００６】
そこで、この発明の課題は、車椅子からの乗り移り動作を円滑に行うことができる便器用手摺を提供することにある。
【課題を解決するための手段】
【０００７】
上記の課題を解決するため、請求項１に係る発明は、洋風便器における床固定部の両側部に沿うように配設された一対の内フレームと、一対の前記内フレームにそれぞれ連結された一対の外フレームと、一対の前記内フレームを相互に連結する連結部材と、前記外フレームに立設された一対の起立部材と、前記起立部材の上端部にそれぞれ支持された手摺部材とを備え、前記外フレームの前端部が、前記洋風便器の前後方向の中央部付近に位置しており、前記手摺部材が、前記洋風便器の後部側に退避可能に前記起立部材に支持されていることを特徴とする便器用手摺を提供するものである。
【０００８】
また、請求項２に係る発明は、請求項１に係る発明の便器用手摺において、前記連結部材が、前記洋風便器における床固定部の前端上部を取り囲むように、前記内フレームの後部側から前方に向かって斜め上方に立ち上がっていることを特徴としている。
【発明の効果】
【０００９】
以上のように、請求項１に係る発明の便器用手摺は、洋風便器における床固定部の両側部に沿うように配設された一対の内フレームにそれぞれ連結された一対の外フレームの前端部が、洋風便器の前後方向の中央部付近に位置しており、しかも、外フレームに立設された一対の起立部材の上端部には、手摺部材が後部側に退避可能に支持されているので、洋風便器の一方の側部側に位置している車椅子から老人等が洋風便器に乗り移る際、手摺部材を後部側に退避させると、老人等の移動経路に全く障害物がなくなり、老人等が車椅子から洋風便器に円滑かつ確実に乗り移ることができる。
【００１０】
また、請求項２に係る発明の便器用手摺は、一対の内フレームを相互に連結する連結部材が洋風便器における床固定部の前端上部を取り囲むように、内フレームの後部側から前方に向かって斜め上方に立ち上がっているので、連結部材が、足腰の弱い老人が用便姿勢から立ち上がる際に行う、いずれか一方の足を後方に移動させるという立ち上がり動作の障害にならず、足腰の弱い老人がスムースに便器から立ち上がることができる。
【発明を実施するための最良の形態】
【００１１】
以下、実施の形態について図面を参照して説明する。図１〜図４に示すように、この便器用手摺１は、便所の床に固定設置された便器Ａの床固定部ａの両側部に設置される左右一対のベース部材１０と、左右一対のベース部材１０を相互に連結する連結部材２０と、各ベース部材１０にそれぞれ立設された左右一対の起立部材３０と、各起立部材３０の上端部にそれぞれ支持された左右一対の手摺部材４０と、各ベース部材１０に取り付けられた左右一対の固定部材５０とから構成されている。
【００１２】
前記ベース部材１０は、便所の床に固定設置された便器Ａの床固定部ａの側部に沿うように配設された、前端側が内側に屈曲した金属製の角パイプからなる内フレーム１１と、この内フレーム１１の外側に一定間隔を開けた状態で配設された、便器Ａの前後方向に延びる短い金属製の角パイプからなる外フレーム１２と、内フレーム１１と外フレーム１２とを相互に連結する金属製の角パイプからなる連結フレーム１３とから構成されており、内フレーム１１は、便器Ａの床固定部ａの前端部まで延びだしているが、外フレーム１２は、その前端部が便器Ａの前後方向の中央部付近に位置している。
【００１３】
前記連結部材２０は、便器Ａにおける床固定部ａの前端上部を取り囲むように、略Ｕ字状に屈曲させた金属製の角パイプによって形成されており、便器Ａにおける床固定部ａの側面に沿うように、双方の内フレーム１１の後部側から、前方に向かって斜め上方に立ち上がっている。
【００１４】
前記起立部材３０は、上端側が僅かに内側（便器Ａ側）に傾斜した状態でベース部材１０の外フレーム１２に固着された金属製の角パイプからなる下部支柱３１と、この下部支柱３１にその上端側から差し込まれて、下部支柱３１内を上下にスライドする金属製の角パイプからなる上部支柱３２とから構成されており、この上部支柱３２の上端部に手摺部材４０が支持されている。
【００１５】
また、下部支柱３１の前面には複数のボルト挿通孔３１ａが上下に形成されており、いずれかのボルト挿通孔３１ａに通したノブボルト３３を、上部支柱３２の下部前面に形成されたねじ孔（図示せず）にねじ込んで締め付けることにより、上部支柱３２を所定の高さに段階的に固定することができるようになっている。
【００１６】
前記手摺部材４０は、後端部が起立部材３０の上部支柱３２の上端部に回動可能に支持された金属製の手摺本体に樹脂製のカバーを被せたものであり、図６（ａ）に示すように、水平状態から跳ね上げて、略垂直状態まで回動させることができるようになっている。
【００１７】
前記固定部材５０は、図５に示すように、ベース部材１０の連結フレーム１３の外端部から内側に向かって斜め上方に立ち上がる一対の固定アーム５１と、それぞれの固定アーム５１にその上端から差し込まれて、上下方向にスライドする可動アーム５２と、可動アーム５２の先端に取り付けられ、便器Ａの湾曲した上部外表面ｂに当接して押圧する押圧部５４とから構成されており、前記固定アーム５１及び可動アーム５２は、金属製の角パイプによって形成されている。
【００１８】
また、固定アーム５１の外側面には上下方向に延びる長孔５１ａが形成されており、この長孔５１ａに通したノブボルト５３を、可動アーム５２の下端部に形成されたねじ孔（図示せず）にねじ込んで締め付けることにより、長孔５１ａの長さの範囲内で可動アーム５２を任意の位置に固定することができるようになっている。
【００１９】
前記押圧部５４は、同図に示すように、可動アーム５２の上端に取り付けられたアジャスタ５５と、このアジャスタ５５に取り付けられた自在アタッチメント５６とから構成されている。
【００２０】
前記アジャスタ５５は、可動アーム５２の上端に形成されたネジ孔（図示せず）にねじ込まれる全ネジボルト５５ａと、この全ネジボルト５５ａに固定された、全ネジボルト５５ａを回転させるための回転操作部５５ｂとから構成されており、回転操作部５５ｂを回転させることで、全ネジボルト５５ａが回転しながら進退し、自在アタッチメント５６が、固定アーム５１の延びだし方向に進退するようになっている。
【００２１】
前記自在アタッチメント５６は、自在継手を介してアジャスタ５５に取り付けられており、図５に二点鎖線で示すように、便器Ａの上部外表面ｂの湾曲状態に応じて、ある程度の自由度を持ってその接触角度を調整できるようになっている。
【００２２】
また、ベース部材１０の内フレーム１１及び外フレーム１２の前後端には、それぞれの下面側に、高さ調整を行うためのアジャスタ１１ａ、１２ａが取り付けられており、排水等を考慮して便所の床に傾斜が設けられている場合でも、それぞれのアジャスタ１１ａ、１２ａによって部分的に高さ調整を行うことができるので、設置される便器用手摺１のがたつきをなくすことができる。
【００２３】
以上のように、この便器用手摺１は、便器Ａにおける床固定部ａの両側部に沿うように配設された一対の内フレーム１１にそれぞれ連結された一対の外フレーム１２の前端部が、便器Ａの前後方向の中央部付近に位置しており、しかも、外フレーム１２に立設された一対の起立部材３０の上端部には、手摺部材４０が跳ね上げ可能に支持されているので、図６（ａ）、（ｂ）に示すように、手摺部材４０を跳ね上げると、便器Ａの側部側に位置している車椅子から老人等が洋風便器に乗り移る際の老人等の移動経路（同図（ｂ）における網掛け表示領域）に全く障害物がなくなり、老人等が車椅子から便器Ａに円滑かつ確実に乗り移ることができる。
【００２４】
また、この便器用手摺１は、一対の内フレーム１１、１１を相互に連結する連結部材２０が便器Ａにおける床固定部ａの前端上部を取り囲むように、内フレーム１１、１１の後部側から前方に向かって斜め上方に立ち上がっているので、便器Ａの床固定部ａの前側周辺部分に障害物がなくなり、連結部材２０が、足腰の弱い老人が用便姿勢から立ち上がる際に行う、いずれか一方の足を後方に移動させるという立ち上がり動作の障害にならず、足腰の弱い老人がスムースに便器から立ち上がることができる。
【００２５】
また、上述したように、固定部材５０によって、便器Ａの左右両側の湾曲した上部外表面ｂをそれぞれ斜め下方から押圧するようにしているので、左右方向の位置ズレやがたつきが阻止されるだけでなく、その反力によって、便器用手摺１自体が便所の床面に押しつけられるので、前側に位置している手摺部材４０に力がかかった場合でも、便器用手摺１の後端部が持ち上がったりすることがなく、安定した設置状態が確保される。
【００２６】
なお、上述した実施形態では、便器Ａにおける床固定部ａの前端上部を取り囲むように、内フレーム１１、１１の後部側から前方に向かって斜め上方に立ち上がる連結部材２０を採用しているが、これに限定されるものではなく、内フレーム１１、１１の先端部同士を連結する構成を採用することも可能である。
【図面の簡単な説明】
【００２７】
【図１】この発明にかかる便器用手摺の一実施形態を示す斜視図である。
【図２】同上の便器用手摺の設置状態を示す斜視図である。
【図３】同上の便器用手摺の設置状態を示す正面図である。
【図４】同上の便器用手摺の設置状態を示す側面図である。
【図５】同上の便器用手摺の固定部材を示す詳細図である。
【図６】（ａ）は同上の便器用手摺の手摺部材を跳ね上げた状態を示す側面図、（ｂ）は同上の便器用手摺の手摺部材を跳ね上げた状態を示す平面図である。
【図７】従来の便器用手摺の設置状態を示す斜視図である。
【符号の説明】
【００２８】
１  便器用手摺
１０  ベース部材
１１  内フレーム
１１ａ  アジャスタ
１２  外フレーム
１２ａ  アジャスタ
１３  連結フレーム
２０  連結部材
３０  起立部材
３１  下部支柱
３１ａ  ボルト挿通孔
３２  上部支柱
３３  ノブボルト
４０  手摺部材
５０  固定部材
５１  固定アーム
５１ａ  長孔
５２  可動アーム
５３  ノブボルト
５４  押圧部
５５  アジャスタ
５５ａ  全ネジボルト
５５ｂ  回転操作部
５６  自在アタッチメント
Ａ  便器
ａ  床固定部
ｂ  上部外表面
【図１】
2009045196.tif 000003
【図２】
2009045196.tif 000004
【図３】
2009045196.tif 000005
【図４】
2009045196.tif 000006
【図５】
2009045196.tif 000007
【図６】
2009045196.tif 000008
【図７】
2009045196.tif 000009